(57)【要約】【課題】コントローラ部で多数の照明装置を調光するとともに照明装置の特有の設置条件に左右されることなく多数の照明装置の点灯，消灯，明るさ制御などを簡単に操作し調光コントローラ側でその調光・調色状態を表示し、照明装置の増設などにも容易に対応できるリモート調光制御照明システムを提供する。【解決手段】照明装置１ａ〜１ｃが天井などに配設されている。タブレット端末２は無線により各照明装置と通信することができる。タブレット端末２から指示を与えることにより各照明装置に対し調光・調色を行え、さらに照明装置のグループ化を図ることができグループ単位で調光・調色が可能である。自己診断を行うことができ、各照明装置は自己診断の結果、ある部位に故障がある場合、その故障情報をタブレット端末２に送信する。【選択図】図１
2015018636.tif 000002
【特許請求の範囲】
【請求項１】
一以上の照明装置，無線により前記各照明装置を制御するコントローラ部とからなるリモート調光制御照明システムであって、
前記照明装置は、
前記コントローラ部と通信を行う無線部と、
制御部と、
照明制御信号により示された明るさの増減を制御する波形を発生する照明制御波形発生部と、
前記照明制御波形発生部の波形で明るさを制御され駆動される、１以上のＬＥＤと、
を有し、
前記コントローラ部は、
表示部を有する端末であって、
前記表示部に表示されるか、該端末に備わる選択ボタン，入力ボタン，決定ボタンによって入力する入力部と、
前記各照明装置と通信を行う無線部と、
制御部と、
を有し、
前記コントローラ部の制御部の制御に基づき各照明装置に調光指示を送信し、前記照明装置の制御部は調光指示にしたがって前記照明制御波形発生部により調光信号を発生し、照明装置内の調光指示されたＬＥＤを駆動し、
かつ、各照明装置を配置態様に基づきグループ化し、グループ単位で調光を可能にし、各照明装置の調光の状態を図形化して前記コントローラ部の表示部に表示することを特徴とするリモート調光制御照明システム。
【請求項２】
前記コントローラ部に、既に設定されている各照明装置の調光データを記憶するメモリ部を有し、
前記メモリ部に前記調光データが存在する場合、該調光データを読み出し、照明装置の追加処理，照明装置の移動処理または照明装置の削除処理を行うことを特徴とする請求項１記載のリモート調光制御照明システム。
【請求項３】
一以上の照明装置，無線により前記各照明装置を制御するコントローラ部とからなるリモート調光制御照明システムであって、
前記照明装置は、
前記コントローラ部と通信を行う無線部と、
制御部と、
照明制御信号により示された明るさの増減を制御する波形を発生する照明制御波形発生部と、
前記照明制御波形発生部の波形で明るさを制御され駆動される、１以上のＬＥＤと、
を有し、
前記コントローラ部は、
表示部を有する端末であって、
前記表示部に表示されるか、該端末に備わる選択ボタン，入力ボタン，決定ボタンによって入力する入力部と、
前記各照明装置と通信を行う無線部と、
制御部と、
を有し、
前記照明装置の制御部は、前記コントローラ部の制御部からの指示によるまたは照明装置自らが行う自己診断により異常であれば、故障の内容を示す情報を発生し、該情報を前記コントローラ部の制御部に送り、配置を示す各照明装置の表示画面に前記情報に基づきＬＥＤの故障の状態を表示することを特徴とするリモート調光制御照明システム。
【請求項４】
前記自己診断は電源投入時，コントローラ部から指示があったとき，または常時監視状態で行うことを特徴とする請求項３記載のリモート調光制御照明システム。
【請求項５】
前記コントローラ部はタブレット入力式端末であることを特徴とする請求項１，２，３または４記載のリモート調光制御照明システム。
【請求項６】
前記無線部はＢｌｕｅｔｏｏｔｈ規格の無線機であることを特徴とする請求項１，２，３，４または５記載のリモート調光制御照明システム。
【請求項７】
前記照明制御波形発生部は指示通りの調光をするためのＰＷＭ発生部であることを特徴とする請求項１，２，３，４，５または６記載のリモート調光制御照明システム。
【請求項８】
前記調光に加えて調色も行うことを特徴とする請求項１，２，３，４，５，６または７記載のリモート調光制御照明システム。
【発明の詳細な説明】
【技術分野】
【０００１】
本発明は、無線を用いてＬＥＤ照明器具の調光をリモートで行うリモート調光制御照明システムに関する。
【背景技術】
【０００２】
近年、省エネが要求されＬＥＤを使った照明器具が多く使われている。照明器具の調光・調色は赤外線によるものであれば、その器具専用のリモコンが必要であるが、一部屋に複数の照明器具があって個別に調光・調色したい場合は、照明器具の数だけ調光・調色用のリモコンを所有するか、天井裏や壁の内側に這わせた有線がつながった調光・調色装置を壁に設置する必要があった。
また、調光・調色装置は壁に設置されているため、その場所まで移動して操作する必要があり、調光・調色装置から死角になるところの照明器具の調光・調色は困難であった。
特に、店舗やショーウインドウなど外光が入るところでの調光・調色は、季節、天候などでその時々に応じて最適な調光・調色が必要とされるため、固定の調光・調色では限界があった。
【０００３】
従来の調光制御照明装置を構成するシステム例を図面を用いて説明する。以下の説明では、「調光」としているが、これは「調色」にも当てはまることだが、説明の都合上「調光」としている。
図１０は有線により調光制御を行う照明装置の概略システム図である（以下、従来例１という）。
照明装置１０１ａ，１０１ｂ，１０１ｃおよび調光コントローラ１０２を設置した後、照明装置１０１ａ，１０１ｂ，１０１ｃを光らせるための電力線と、調光するための調光信号線を接続しており、調光コントローラ１０２は固定された位置となっていた。このシステムは調光コントローラ１０２が設置してある場所で、照明装置を個別に明るさ調整つまみ１０３ａ，１０３ｂ，１０３ｃなどにより明るさや色温度、場合によっては方向指定ボタン１０４ａ，１０４ｂ，１０４ｃにより照射する方向などを制御していた。
【０００４】
従来例１は、複数の調光信号線（有線）により、調光コントローラ１０２と照明装置１０１ａ，１０１ｂ，１０１ｃを接続する構造であるため、一定の設置工事を行う必要があった。工事途中の設計変更に対しては、各照明装置の配線の追加変更が発生するとともに、調光コントローラ１０２の交換・追加・改造などが発生し、設計変更にかかわる費用が嵩み、工事期間が延びるという問題があった。また、後日、照明器具の追加がある場合、各照明装置の配線の変更追加と調光コントローラ１０２の交換・追加・改造が発生し、ユーザではこのような工事は不可能である。そのため、専門業者に委託することになり、新たに調光コントローラの変更などにかかわる費用と工事期間が発生する。また、調光コントローラ１０２の設置位置によっては、照明装置の明るさなどの状況を直接目視確認することができない場合がある。
【０００５】
図１１は赤外線により調光制御を行う照明装置の概略システム図である（以下、従来例２という）。
照明装置１１１ａ，１１１ｂ，１１１ｃが電力線に接続され、照明装置１１１ａ，１１１ｂ，１１１ｃの明るさ、および方向を制御する調光コントローラ１１２は調光指示などを赤外線１１７により照明装置１１１ａ，１１１ｂ，１１１ｃに送るように構成されている。調光や方向制御をする場合、対象となる照明装置に赤外線１１７を向け、照明装置番号選択ボタン１１５を操作することにより照明装置番号１１６を入力し、明るさ調整つまみ１１３により明るさ、または方向指定ボタン１１４により照明装置が照らす方向を変えることが可能である。
【０００６】
従来例２は、従来例１とは異なり、調光コントローラ１１２を各照明装置と接続する工事は不要となる。調光コントローラ１１２は赤外線により調光信号などを送るためその設置位置は固定的ではないが、調光などをする場合、各照明装置を特定するための番号を入力して設置されている照明装置方向に赤外線を向ける必要があり、操作性に難点がある。また、従来例１と同様に、照明器具の追加がある場合、各照明装置の配線の変更追加と調光コントローラ１１２の交換・追加・改造が発生し、ユーザだけで工事するのは不可能である。
【０００７】
図１２は無線により調光制御を行う照明装置の概略システム図である（以下、従来例３という）。
照明装置１２１ａ，１２１ｂ，１２１ｃが電力線に接続され、各照明装置１２１ａ，１２１ｂ，１２１ｃの明るさおよび方向を制御する調光コントローラとなる装置はタブレット端末１２２である。ＰＣ１２３に無線装置（ＺｉｇＢｅｅ（登録商標）方式）を内蔵させ、タブレット端末１２２の画面上でタッチ入力方式で各照明装置の設定をして、方向指定などを制御するように構成されている。ダブレット端末１２２とＰＣ１２３は無線ＬＡＮにより接続され、調光信号などのデータの送信を行う。ＰＣ１２３は無線を用いるため、配置する位置は制限されず、無線電波１２４が届けば、照明装置が直接視認できない位置からでも操作が可能である。
【０００８】
従来例３は従来例１，２と同様、工事途中で設計変更する場合、各照明装置の設置変更が発生するとともに、タブレット端末による照明装置の追加変更、およびネットワークなどのトポロジー変更が必要となり、設計変更にかかる費用が嵩み、工事期間が延びる場合がある。また、後日、照明器具の追加がある場合、照明装置１２１ａ，１２１ｂ，１２１ｃの設置、タブレット端末１２２による照明装置の追加変更、およびネットワークなどのトポロジー変更が必要となり、ユーザではそのような追加工事は不可能である。そのため専門業者に委託する必要があり、追加に対し費用と工事期間が新たに発生する。
【先行技術文献】
【特許文献】
【０００９】
【特許文献１】特開平０７−１２２３６８号公報
【特許文献２】特開２０１１−２５８５３３号公報
【特許文献３】特開２０１２−１７４５４８号公報
【００１０】
照明装置をリモートコントロールして調光する技術は特許文献１〜３に開示されている。これら先行文献について説明し、問題点に言及する。
特許文献１はリモコン送信機と照明器具本体との間を赤外線通信により行うもので、リモコン側に照明器具の点灯状態（調光比％）を表示する技術が開示されている。
特許文献２はマイクロコンピュータを備えたＬＥＤ照明灯の構成を開示しており、個別にＩＤを持ち、それぞれ無線通信機能（Ｂｌｕｅｔｏｏｔｈ（登録商標））を内蔵し、遠隔地からの操作やデータ収拾，照明器具周辺のコントロールが可能なように構成されている。
特許文献３はそれぞれ固有の個体識別番号を設定された照明器具であって、無線送信機によって任意の照明器具の光量や角度（向き）を個別に制御する構成を開示している。そして、照明器具のＬＥＤ光源の調光器における調光手段を、ＰＷＭ方式による光量調節で行うことが記載されている。
【００１１】
特許文献１は、リモコン送信機と照明器具との間は、従来例２と同様に赤外線で通信を行うので、従来例２で挙げた欠点を含むものである。
特許文献２は、マイクロコンピュータを内蔵し、自己診断回路を持ち、不具合があった場合、異常箇所を検知できるとの記載はあるが、具体的な構成の説明は存在しない。
特許文献３の無線送信機は、個体識別番号を選択し、選択した照明器具に方向を制御する駆動信号と調光器の駆動操作信号を送るものであるが、照明装置をグループでまとめ、個別またはグループで調光制御し、自己診断や全体の調光の状態を表示したり、故障のチェックを行ったりする操作および機構は搭載されていない。
【発明の概要】
【発明が解決しようとする課題】
【００１２】
本件発明者は、従来例１〜３および特許文献１〜３が抱えている欠点を解決するため、リモート調光制御照明システムの発明に至った。
【００１３】
本発明の目的は、無線機能（例えばＢｌｕｅｔｏｏｔｈ（登録商標）方式）を搭載した調光コントローラ（例えばタッチパネル入力式のタブレット端末）から、アンテナ，無線部，制御部，ＰＷＭ信号などを発生する発生部および増幅部を備えた照明装置に調光指示や自己診断指示などを送信し、照明装置は送信された調光指示内容に従って照明制御波形を発生し（例えばＰＷＭ発生器により）、ＬＥＤを駆動することにより、１つのコントローラ部から多数の制御対象の照明装置を個別に、またはグループにまとめて調光するとともに照明装置の特有の設置条件に左右されることなく多数の照明装置の点灯，消灯，明るさ制御などを簡単に操作し調光コントローラ側でその調光状態を表示し、照明装置の増設などにも容易に対応できるリモート調光制御照明システムを提供することにある。
【課題を解決するための手段】
【００１４】
前記目的を達成するために本発明の請求項１は一以上の照明装置，無線により前記各照明装置を制御するコントローラ部とからなるリモート調光制御照明システムであって、前記照明装置は、前記コントローラ部と通信を行う無線部と、制御部と、照明制御信号により示された明るさの増減を制御する波形を発生する照明制御波形発生部と、前記照明制御波形発生部の波形で明るさを制御され駆動される、１以上のＬＥＤとを有し、前記コントローラ部は、表示部を有する端末であって、前記表示部に表示されるか、該端末に備わる選択ボタン，入力ボタン，決定ボタンによって入力する入力部と、前記各照明装置と通信を行う無線部と、制御部とを有し、前記コントローラ部の制御部の制御に基づき各照明装置に調光指示を送信し、前記照明装置の制御部は調光指示にしたがって前記照明制御波形発生部により調光信号を発生し、照明装置内の調光指示されたＬＥＤを駆動し、かつ、各照明装置を配置態様に基づきグループ化し、グループ単位で調光を可能にし、各照明装置の調光の状態を図形化して前記コントローラ部の表示部に表示することを特徴とする。
本発明の請求項２は請求項１記載の発明において前記コントローラ部に、既に設定されている各照明装置の調光データを記憶するメモリ部を有し、前記メモリ部に前記調光データが存在する場合、該調光データを読み出し、照明装置の追加処理，照明装置の移動処理または照明装置の削除処理を行うことを特徴とする。
本発明の請求項３は一以上の照明装置，無線により前記各照明装置を制御するコントローラ部とからなるリモート調光制御照明システムであって、前記照明装置は、前記コントローラ部と通信を行う無線部と、制御部と、照明制御信号により示された明るさの増減を制御する波形を発生する照明制御波形発生部と、前記照明制御波形発生部の波形で明るさを制御され駆動される、１以上のＬＥＤとを有し、前記コントローラ部は、表示部を有する端末であって、前記表示部に表示されるか、該端末に備わる選択ボタン，入力ボタン，決定ボタンによって入力する入力部と、前記各照明装置と通信を行う無線部と、制御部とを有し、前記照明装置の制御部は、前記コントローラ部の制御部からの指示によるまたは照明装置自らが行う自己診断により異常であれば、故障の内容を示す情報を発生し、該情報を前記コントローラ部の制御部に送り、配置を示す各照明装置の表示画面に前記情報に基づきＬＥＤの故障の状態を表示することを特徴とする。
本発明の請求項４は請求項３記載の発明において前記自己診断は電源投入時，コントローラ部から指示があったとき，または常時監視状態で行うことを特徴とする。
本発明の請求項５は請求項１，２，３または４記載の発明において前記コントローラ部はタブレット入力式端末であることを特徴とする。
本発明の請求項６は請求項１，２，３，４または５記載の発明において前記無線部はＢｌｕｅｔｏｏｔｈ（登録商標）規格の無線機であることを特徴とする。
本発明の請求項７は請求項１，２，３，４，５または６記載の発明において前記照明制御波形発生部は指示通りの調光をするためのＰＷＭ発生部であることを特徴とする。
本発明の請求項８は請求項１，２，３，４，５，６または７記載の発明において前記調光に加えて調色も行うことを特徴とする。
【発明の効果】
【００１５】
本発明によれば、各照明装置に対し一旦設定した調光は、各照明装置側で次の調光指示が送られてくるまでその調光による光量で駆動を続ける。
また、照明装置に搭載された制御部に内蔵されている自己診断機能により、各照明装置のＬＥＤの故障、回路の故障、無線装置の故障、断線などの情報をコントローラ部でモニタできるため、保守点検が照明装置設置箇所まで行くことなく簡単に事前に行うことができる。照明装置設置時の点検にも利用できるため、工事時間の削減が可能になる。
また、照明装置の追加，変更，移動，削除なども特別な工事を必要としないため、工事途中の設計変更に対して、コントローラ部による照明装置の追加変更、照明装置の通信トポロジー変更の簡素化、およびＰＣの機材を削減できることにより、設計変更による費用と変更期間が増加することを防ぐことができる。後日、照明器具の追加がある場合は、コントローラ部による照明装置の追加変更を専門業者に委託する必要がなく、かつユーザが簡単に変更できるので、追加による費用と工事時間の削減が可能になる。
【図面の簡単な説明】
【００１６】
【図１】本発明によるリモート調光制御照明システムの構成を説明するための図である。
【図２Ａ】本発明によるリモート調光制御照明システムの照明装置の一実施形態を示す回路ブロック図である。
【図２Ｂ】無線部である図２Ａの無線モジュールの実施の形態を示す回路ブロック図である。
【図３】本発明によるリモート調光制御照明システムのコントローラ部の実施形態を示す回路ブロック図で、タブレット端末の場合を示す図である。
【図４】本発明によるリモート調光制御照明システムのタブレット端末側と照明装置側の動作を説明するためのフローチャートで、タブレット端末側は調光・調色設定，故障チェック，自己診断を行う流れを、照明装置側はデータ受信，自己診断の処理の流れをそれぞれ示している。
【図５】本発明によるリモート調光制御照明システムの照明装置の増設，移動，削除などの流れを説明するためのフローチャートである。
【図６】タブレット端末画面の一例を説明するための図である。
【図７】タブレット端末，照明装置が送信するデータのフォーマットの例を説明するための図である。
【図８】本発明によるリモート調光制御照明システムの自己診断を行う流れを説明するための図である。
【図９】図６のタブレット端末画面例において自己診断を行ったときの故障状況を示す図である。
【図１０】従来の調光・調色制御を行う照明装置の概略システム図で、有線により行う場合を示す図である。
【図１１】従来の調光・調色制御を行う照明装置の概略システム図で、赤外線により行う場合を示す図である。
【図１２】従来の調光・調色制御を行う照明装置の概略システム図で、無線により行う場合を示す図である。
【発明を実施するための形態】
【００１７】
以下、図面を参照して本発明の実施の形態を詳しく説明する。
図１は本発明によるリモート調光制御照明システムの構成を説明するための図である。照明装置１ａ，１ｂ，１ｃは設置位置として建物の天井，壁などに配置される。配置形態は天井埋め込みの一体形や吊す場合の分離形として構成することができる。
配置される天井などには照明装置１ａ，１ｂ，１ｃに電力を供給するための電力線が配設されている。この電力線の電力が供給されるように各照明装置は取り付けられる。この例は照明装置３個の例を示しているが、数には特別の制限はなく多数設置することが可能である。
【００１８】
照明装置は、各機能または配置位置などを考慮して１以上のグループ分けをすることが可能である。例えば、照明装置１ａ，１ｂを「Ａ」とするグループにすることができる。
グループ分けの例としてタブレット端末２の液晶画面上に表示されるメッシュ照明装置配置枠３０（図６参照）に示されている。図６に示すように例えば、４×Ｄの位置３０ａに配置された照明装置１（登録名）と、４×Ｅの位置３０ｂ，４×Ｆの位置３０ｃおよび４×Ｇの位置３０ｄに配置された各照明装置３，４，８は１つのグループを形成し、グループリストに表示されているグループ名「ＡＡ１０」になっており、これらの照明装置は２０％に調光されている。各グループを示す枠はそれぞれ異なる色が付されている。
上記のように配設された各照明装置に対し調光を行うためのコントローラ部としてタブレット端末２が用意されている。タブレット端末２は無線（Ｂｌｕｅｔｏｏｔｈ（登録商標  以下同様）方式）により各照明装置に調光指示，調色指示，自己診断指示などを送信し、また、各照明装置から送られてくる照明装置の自己診断結果の故障情報などを受信することができる。
【００１９】
本発明による照明システムは照明装置の追加，登録名の変更，削除（調光対象から除外），位置の移動をタブレット端末２の操作により行うことができる。また、上記のようにグループを編成し、その編成を変えることも可能である。さらにタブレット端末２から自己診断指示を行う他、照明装置が故障状態を常時監視して、故障が発生した場合、タブレット端末２に故障部位の詳しい故障状況を表示させることができる。表示画面上に天井などの設置領域範囲に対応した照明装置配置枠を表示し、この照明装置配置枠に各照明装置で形成されたグループを表示し、そのグループの調光・調色状態を把握することができる。さらには各照明装置の照明方向を変更したり、各照明装置をタイマにより点灯，消灯，減光・調色制御を行うことも可能である。
なお、この実施の形態では方向変更やタイマ設定制御のための回路構成については記載していない。
【００２０】
図２Ａは本発明によるリモート調光制御照明システムの照明装置の一実施形態を示す回路ブロック図である。
天井などに取り付けられる照明装置１ａ〜１ｃはアンテナ１１，無線モジュール（Ｂｌｕｅｔｏｏｔｈ）１２，制御部（マイコンなど）１３，照明制御波形発生部であるＰＷＭ発生部１４ａ〜１４ｃ，増幅部１５ａ〜１５ｃおよびＬＥＤ１７ａ〜１７ｎを含むＬＥＤ部１６を備えている。
電源部１８は家庭用交流電源１９を各回路対応のＤＣ電圧に変換し、各回路に供給する。電源部１８は、ＡＣ１００ＶからＬＥＤに流すために必要なＤＣ電源，制御部１３や無線モジュール１２を駆動するＤＣ電源を生成する。
タブレット端末２から送られてくるＢｌｕｅｔｏｏｔｈ規格の搬送波をアンテナ１１で受信すると、搬送波は無線モジュール１２で復調されディジタル処理される。無線モジュール１２で復調・ディジタル処理され取り出された信号（調光指示のためのデータ信号，調色指示のためのデータ信号など）は制御部１３に送られ、ここでデータの解析が行われ、調光データであれば、調光量が演算されて算出される。タブレット端末２と無線モジュールは、最初にお互いに機器を認識するためにペアリングを行い、待機状態にしておくことにより、送信データの遅れを最小限にすることができる。
【００２１】
算出された調光データはＰＷＭ発生部１４ａ〜１４ｃへ送られ、パルス幅で生成されるＰＷＭ信号に変換される。ＰＷＭ発生部１４ａ〜１４ｃで変換されるＰＷＭ信号は調光量に対応したＤＵＴＹ比の矩形波形であり、該矩形波形は増幅部１５ａ〜１５ｃでＬＥＤ１７ａ〜１７ｎを点灯させるための電流に増幅される。これにより、調光（明るさを％で表したもの）対応の電流がＬＥＤ駆動部１６ａ〜１６ｃの駆動によりＬＥＤ１７ａ〜１７ｎに流れ、ＬＥＤを高速点滅させる。ＬＥＤを高速点滅させることにより人間の目には一定の明るさとして映る。制御部１３とＰＷＭ発生部１４ａ〜１４ｃは、マイコン１つで構成することが可能である。
【００２２】
制御部１３は解析内容が自己診断指示であれば、各部位でデータ（ＬＥＤ駆動電圧，ＬＥＤの温度，ＬＥＤに流れる電流値など）の自己診断を実施する。ＬＥＤ駆動電圧は、ＬＥＤに印加される電圧が正常値の電圧と比較することにより正常か否かが判断される。ＬＥＤの温度は、これを検出する温度センサが設けられて、その温度が正常値の温度範囲か否かで異常が判定される。ＬＥＤに流れる電流は、ＬＥＤが点灯しているか否かなどで判断される。この他、無線モジュールの信号，ＰＷＭ出力をモニタして正常値と比較することにより異常が判断される。自己診断する部位は、上記内容であるが、その一部であってもよい。
制御部１３はこのように自己診断した結果（故障を検出した場合のみ）をデータ化して無線モジュール１２を通じアンテナ１１からタブレット端末２に送信する。
この実施の形態では３つのＬＥＤ駆動系統のＬＥＤが発生する照明光の色温度がそれぞれ異なるようにすることができる。この場合、各ＬＥＤ駆動系統の調光量を同じではなく、異ならせることにより調色も可能となる。
【００２３】
図２Ｂは図２Ａの無線モジュールの実施の形態を示す回路ブロック図である。
アンテナ１１で受信した信号はＢｌｕｅｔｏｏｔｈＩＣ１３２でディジタル処理されて電圧レベル変換器１３５に送られ、電圧レベル変換された信号は制御部１３にシリアル信号１３５ａとして送られる。一方、制御部１３から送られるシリアル信号１３５ａは電圧レベル変換器１３５，ＢｌｕｅｔｏｏｔｈＩＣ１３２を経由してアンテナ１１からＢｌｕｅｔｏｏｔｈ規格の搬送波が送信される。
制御部１３からリセット信号１３５ｂが送られた場合、ＢｌｕｅｔｏｏｔｈＩＣ１３２は動作を初期化する。無線モジュール１２は専用の電源１３４が供給され、ＢｌｕｅｔｏｏｔｈＩＣ１３２は動作に必要なクロック１３１が供給される。
【００２４】
図３は本発明によるリモート調光制御照明システムのコントローラ部の実施形態を示す回路ブロック図で、タブレット端末の場合を示している。
コントローラ部であるタブレット端末２は、液晶画面の表示部２９，タッチ入力式の入力部２８，アンテナ２１，無線モジュール２２，メモリ部２３，制御部２４，電源部２５で構成されている。電源部２５はタブレット端末２内の電気回路を駆動するためのＤＣ電源である。家庭用ＡＣ１００Ｖは充電器２７によりタブレット端末２用のＤＣ電源に変換され、電源部２５はこのＤＣ電源を充電し、各回路に対応のＤＣ電圧を供給する。
タッチ入力方式で入力部２８より入力された情報は、制御部２４で分析され、分析結果情報がユーザが視覚で理解できるように液晶画面の表示部２９に表示される。
ユーザはこのような操作により調光，自己診断を指示するなどのデータを作成し、無線モジュール２２よりアンテナ２１で調光データ，自己診断指示データなどを無線送信する。
制御部２４はＣＰＵやＭＰＵなどの中央演算器で構成されている。メモリ部２３は本発明の動作プログラムを格納するとともにワーキングメモリとして機能する。また、一時的に必要なデータを記憶する。さらに入力された情報や表示するデータも格納される。
【００２５】
表示部２９で調光や照明装置の設定状態などを確認することができる。タブレット端末に装備されるものは、充電器２７，持ち歩きを可能にするバッテリー２６であり、制御部２４は内部で演算するためのメモリ付ＣＰＵ（ＭＰＵ）で構成することができる。表示部２９はタッチパネル付表示画面である。タブレット端末自体は、市販されているものを使用することができ、本発明では該市販のタブレット端末のメモリ部２３に後述する図４，図５の各ステップを起動するソフトウェア（照明コントロールのプログラム）が格納される。
【００２６】
図４は本発明によるリモート調光制御照明システムのタブレット端末側と照明装置側の動作を説明するためのフローチャートで、タブレット端末側は調光・調色設定，故障チェック，自己診断を行う流れを、照明装置側はデータ受信，自己診断の処理の流れをそれぞれ示している。
タブレット端末２に電源が投入される（ステップ（以下「Ｓ」という）０１）と、タブレット端末２は初期化を実行する（Ｓ０２）。初期化動作によって、画面上にアプリのアイコンなどが表示され、タッチ操作によりタブレット端末２が動作を開始できるようになる。画面上に照明装置の光量を調整するアプリ（照明コントロール）のアイコンが表示され、このアプリにタッチして起動する（Ｓ０３）と、例えば図６で示すような画面が表示される。タブレット端末２の制御部２４によって上記動作が実行される。
【００２７】
照明システムを初めて設置する時は、照明装置が未登録で、図６の画面のメッシュ照明装置配置枠３０には何ら照明装置が登録されていない。
したがって、このような場合、故障データ受信（Ｓ０４），自己診断（Ｓ０６）指示の信号は入らないため、ユーザがタブレット端末２の照明コントロールの画面の各ボタンを操作（タッチ，ドラッグ）することによりデータ作成が行なわれる（Ｓ０８）。データ作成の流れの詳細は図５に一例が示されている。
この流れに沿って各照明装置の登録を行う（新たに設置する照明装置の名称登録，位置登録，調光量，グループ化など）と、例えば図６で示されるような各照明装置の配置となる。このように配置された照明装置のデータはメモリ部２３に保存される。そして、データ送信（Ｓ０９）が行われ、無線により該データが照明装置側に送られる。
一方、制御部２４は終了するか否かを判断し（Ｓ１０）、ユーザが終了の操作をしなければ、Ｓ０４の故障データを受信するか否かの判断の手前に戻り、さらなるデータ入力を待つ。ユーザが終了の操作をすれば、Ｓ０２の手前に戻る。
【００２８】
照明装置側の制御内容は以下の通りとなる。
照明装置の電源ＯＮにより（Ｓ２１）、初期化がなされる（Ｓ２２）。タブレット端末側からの送信データを受信するための受信可能状態となり、既に照明装置が機能している場合は、前回に設定された照明装置の調光データを制御部１３内のメモリ部に格納しており、調光動作状態となる。すなわち、制御部１３は前回値が存在する場合、データ受信判断（Ｓ２３）でＹｅｓ、自己診断の有無判断（Ｓ２４）でＮｏとなり、データ分析（Ｓ２６）をして制御部１３内のメモリ部に前回値を再度保存する（Ｓ２７）。そしてＰＷＭ発生部１４ａ〜１４ｃはＰＷＭを発生し（Ｓ２８）、ＬＥＤ駆動部１６ａ〜１６ｃを駆動してＬＥＤ１７ａ〜１７ｎを高速点滅させ、前回値通りの明るさの照明を維持する。
制御部１３はタブレット端末２からデータを受信していない場合、Ｎｏとなり待機状態となる。データを受信した場合、自己診断の有無の判断に移る（Ｓ２４）。Ｎｏであれば、調光データであるので、上記と同様、Ｓ２６〜Ｓ２８のように動作しタブレット端末からの調光指示の通りの明るさにＬＥＤは駆動される。
【００２９】
自己診断指示（Ｙｅｓ）である場合、図８に示す自己診断プログラムを実行する。制御部１３は自己診断で故障情報を得ると、その故障情報を無線モジュール１２，アンテナ１１を介してタブレット端末２に送信する。そしてデータを受信したか否かを判断するための待機状態に戻る（Ｓ２３）。
自己診断の結果、正常である場合は、タブレット端末２に送信することなく待機状態に入る（Ｓ２３）。
なお、図４の流れ図では省略されているが、照明装置がタブレット端末からの指示ではなく、照明装置側で常時、自己診断機能を起動しておき（一定時間毎でも良い）、監視することもできる。照明装置側の常時監視で故障を検出した場合、故障情報をタブレット端末２に送信することとなるが、この時点でタブレット端末２の照明コントロールが立ち上がっていないとき、受信表示できないためユーザはその後にタブレット端末２の照明コントロールを立ち上げたとき、その照明装置の故障を知ることができる。
【００３０】
照明装置１ａ〜１ｃはそれぞれ制御部１３内のメモリ部に自己診断用プログラムが格納されており、制御部１３は自己診断用プログラムに基づき上記Ｓ２２〜Ｓ２８を実行する。診断するための情報は、上述したようにＬＥＤ駆動電圧，ＬＥＤの温度，ＬＥＤに流れる電流値などであり、これらデータを入手し、正常状態の場合のデータと比較することにより正常か、異常かを判断する。異常であれば、故障情報をタブレット端末２に送信する。
自己診断を行うタイミングは、照明装置電源投入時と，タブレット端末から指示があった時および常に監視する状態とがあり、どのタイミングで行うかを予め決めておくことができる。
【００３１】
照明コントロールのアプリを起動した状態（Ｓ０３）まで戻って説明を続ける。
制御部２４は照明コントロールのアプリが起動されると、照明装置のいずれかから故障データを受信するか否かを監視する（Ｓ０４）。故障データが送られてくれば、図９の右下の３８に示すように例えば「照明装置１５のＭ−１部分が故障しました」と表示される（Ｓ０５）。これは「１５」の名称の照明装置の「Ｍ−１」という故障部位を示すものである。故障データの受信がなければ、自己診断指示を行うか否かの判断を行う（Ｓ０６）。ユーザが自己診断の操作を行えば、診断命令セットがなされる（Ｓ０７）。そしてデータ作成（Ｓ０８）のステップを通過し、照明装置に対し自己診断指示のデータが送信される（Ｓ０９）。ユーザの自己診断操作は、図６の左側の診断ボタン３３ｃにより行うことができる。  自己診断の操作が行われない場合、ユーザが端末登録やグループ編集などのデータ作成操作を行うことによりデータ作成へと進むことになる（Ｓ０８）。
【００３２】
図５は本発明によるリモート調光制御照明システムの照明装置の増設，移動，削除などの流れを説明するためのフローチャート、図６はタブレット端末画面の一例を示す図である。
タブレット端末２の制御部２４は自己診断指示があるか否かを判断する（Ｓ３１）。この判断指示があるか否かの機能は図４のＳ０４からの自己診断を行うか否かのＳ０６に対応する。
自己診断指示がなされていれば、自己診断命令のデータがセットされ（Ｓ４５）、セットされたデータがメモリ部２３に保存される（Ｓ４６）。
【００３３】
自己診断指示がない場合、メモリ部２３より前回値を読み出す（Ｓ３２）。その配置状況は液晶画面の表示部２９に例えば図６のような端末レイアウト画面が示される。図６においてメッシュ照明装置配置枠３０には５つのグループ化した照明装置が表示されており、グループ名「ＡＡ１０」は太枠３０ａ〜３０ｄ，「ＡＢ２０」は太枠３０ｅ〜３０ｈ，「ＢＢ１０」は太枠３０ｉ〜３０ｌ，「ＪＫ１Ｌ」は太枠３０ｍ〜３０ｐおよび「ＡＢＣＤ」は太枠３０ｑ〜３０ｒで示されている。各グループの枠はそれぞれ異なる色で表示されている。なお、上述したが、新しい照明システム設置の場合は、メッシュ照明装置配置枠３０には各照明装置が配置されていない。
制御部２４は、まず照明装置が追加されたか否かを判断する（Ｓ３３）。ユーザが新規ボタン３４ａをタッチすると、照明装置追加が可能になる。続いて、例えば、メッシュ照明装置配置枠３０の９×Ｃの位置にタッチすると、点線で示すその部分の枠が太枠の表示となり（Ｓ３４）、「ダミー」と文字が表示される。
そして、変更ボタン３４ｂをタッチし照明装置を特定するため名称として番号を入力する（Ｓ３５）。この例では「９」の番号が入力された状態が示されている。照明装置の名称は番号以外の符号，文字を用いることができる。
なお、タブレット端末２と照明装置側のペアリングについては、フローが複雑になるのでここでは記載していないが、新規の端末を選択して追加するとき（Ｓ３４またはＳ３５）でも、アプリを起動した直後に全ての機器と事前にペアリングをしておくことでもできる。
【００３４】
ついでグループ化する操作に進む（Ｓ３６）。新しいグループを作るには、新規ボタン３３ａにタッチすると、グループリストの最下段にそれぞれ点線で示すグループ名の枠３７ａと明るさ表示の枠３８ａが作成され他のグループとは異なる色付けがされる。
枠３７ａにはグループ名を入力して登録する（Ｓ３７）。この例では「ＥＦＧ」のグループ名が入力されている。枠３８ａには明るさを入力する（Ｓ３８）。明るさ調整スライダ３５ａにタッチし左右に移動させることにより明るさを設定することができる。この例では明るさ調整スライダ３５ａは中央より少し右に位置し、明るさ表示の枠３５ｅに「７０」（％）が入力されている。明るさは、明るさ調整スライダ３５ａを左右に移動させることでも変化させられるが、その横にある明るさ調整ボタン３５ｂまたは３５ｃをタッチすることでも変更できる。明るさを設定した後、その下の送信方式表示ボタン３５ｄにタッチすると枠３８ａに「７０」（％）が表示されるとともに、データが、そのグループに送信され明るさが変更になる。送信方式選択ボタンである送信選択（一括／逐次）ボタン３５ｆにタッチすると、一括と逐次が交互に変更される。変更されるたびに変更された送信方式が表示される。図６では一括が表示されている。逐次を選択した場合には、明るさ調整スライダ３５ａを左右に動かす、もしくはその横にある明るさ調整ボタン３５ｂまたは３５ｃをタッチするたびに明るさ表示の枠３５ｅの数値が変化し、データがそのグループに送信され明るさが変更になる。
制御部２４は明るさ入力が行われた後、照明装置追加のステップ前に戻り、照明装置の追加，移動，削除を監視する動作に戻る。
【００３５】
つぎに照明位置を移動操作する場合を説明する。
ユーザは照明装置を移動させたい場合、端末登録の移動ボタン３４ｄにタッチすることにより行うことができる。
制御部２４は照明装置追加の監視を行うとともに照明装置の移動，削除が操作されたか否かを監視している（Ｓ３９，Ｓ４３）。
移動ボタン３４ｄがタッチされると、メッシュ照明装置配置枠３０に配置されているいずれの照明装置も移動可能となる。ここで、新規に作られたグループ「ＥＦＧ」の「９」の照明装置の移動を行う場合、９×Ｃの位置の枠３６ａに一定時間タッチをして６×Ｃの位置までドラッグすると、９×Ｃの位置での枠３６ａの太枠表示は消え、６×Ｃの位置に枠３６ａ’が表示される（Ｓ４０，Ｓ４１）。これにより所望の位置に移動させることができる。
既にあるグループに属している照明装置を移動させる場合も上記と同様な操作によって任意の位置に移動させることができる。
【００３６】
つぎに上記枠３６ａ’の位置まで移動させた照明装置を他のグループとグループ化をはかる場合（Ｓ４２）、以下の操作を行う。
番号「１０」「１１」「１２」「１３」の照明装置が枠３０ｅ〜３０ｈに配置されており、このグループ名を「ＡＢ２０」３１ｂとする。メッシュ照明装置配置枠３０に配置されているグループの枠と対応のグループ名の枠は同じ色で表示されており、上述したようにグループ毎に異なる色が用いられている。例えばグループ名「ＡＡ１０」「ＡＢ２０」「ＢＢ１０」「ＪＫ１Ｌ」「ＡＢＣＤ」および「ＥＦＧ」はそれぞれ「レッド」「オレンジ」「ピンク」「ブルー」「イエロー」および「グリーン」などグループ作成時に自動的に色付けされる。
グループ名の「ＡＢ２０」３１ｂのボタンにタッチし、これを照明装置「９」の枠３６ａ’の６×Ｃの位置までドラッグすることにより、番号「９」の照明装置をグループ名「ＡＢ２０」３１ｂに加えることができる。グループ化によってそのグループに加えられる照明装置の明るさはグループ名の「ＡＢ２０」の明るさ５０％となり、３６ａ’の枠の色もグループ名の「ＡＢ２０」と同じ色（オレンジ色）に変わる。
【００３７】
なお、あるグループに属している照明装置を、その配置の位置で他のグループに加えるには属させたいグループ名の枠にタッチしドラッグして、あるグループに属している照明装置の配置の枠に落とせば、グループ替えすることができる。落とした時点で他のグループと同じ色および明るさに変わる。
制御部２４はグループ化した後、照明装置追加のステップ前に戻り、照明装置の追加，移動，削除を監視する動作に再度入る。
【００３８】
つぎに照明装置を削除する場合を説明する。
削除ボタン３４ｃがタッチされる（Ｓ４３）と、メッシュ照明装置配置枠３０に配置されている、いずれかの照明装置の配置登録の削除が可能となる。メッシュ照明装置配置枠３０の削除したい番号の照明装置の配置位置にタッチすると、その番号の照明装置の登録は削除される（Ｓ４４）。
グループ単位で削除する場合は、削除ボタン３３ｂをタッチし、グループ名の枠をタッチすることにより、タッチされたグループ名は消え、タッチされたグループ名対応の配置の枠の色は無色となり、いずれのグループにも属さない状態となる。この状態は照明装置としては登録されているが、どのグループにも属していないため明るさはコントロールされておらず、新たなグループに属させるか、タブレット端末から削除する操作に進むことになる。
削除を行った後は照明装置追加のステップ前に戻りつぎの操作を監視する。
制御部２４は照明装置の削除の操作がなされたか否かの判断のＳ４３において、削除の操作がなされないと判断した場合、追加，移動および削除で変更したデータ（変更していない場合も含む）をメモリ部２３に保存する（Ｓ４６）。
なお、ここでは、削除ボタンをタッチ（Ｓ４３）してから削除したい番号の照明装置の配置位置にタッチ（Ｓ４４）する例を挙げたが、先に、削除したい番号の照明装置の配置位置にタッチしてから、削除ボタンをタッチすることも可能である。これにより、先に対象の番号もしくはグループ名を指定してから、変更、移動、削除などをすることができ、操作手順や操作ボタンの数を減らせることができる。
【００３９】
図６はタブレット端末画面の一例を説明するための図である。
本発明のための専用のコントローラ部は図３に示すタブレット端末の構成であるが、一般に市販されているスマートフォンやタブレット端末を用いることができる。
端末レイアウトは以下のように構成されている。
画面の略中央部にメッシュ照明装置配置枠３０が表示されている。横×縦は２０×１０のメッシュ枠構造の例を示している。このメッシュ枠構造は多数の照明装置が配置される天井や壁などの大きさ，照明装置が取り付けられる位置に対応している。取付範囲が広い天井などではメッシュの数を増加させ、取付け範囲が狭い場合はメッシュの数を少なくすることができる。このような構造により広範囲におよぶ照明装置の取付がきめ細かく配置登録することが可能となる。また、実際の天井などの取付位置とメッシュ構造の各枠位置とを対応付けているため、実際の照明装置の番号などの名称を確認しなくても、メッシュ構造上の番号を付した照明装置の配置枠を見れば、どの位置の照明装置かをユーザは容易に認識することができる。
端末レイアウトは画面左側にグループリストのグループ名を付したボタン３１ａ〜３１ｅと明るさの枠３２ａ〜３２ｅが配置され、さらにその下に新規ボタン３３ａ，削除ボタン３３ｂ，診断ボタン３３ｃが配置された構造になっている。
【００４０】
画面下部には明るさ調整スライダ３５ａ，その明るさを表示する枠３５ｅ，送信方式表示ボタン３５ｄ，送信方式選択ボタン３５ｆ，明るさを増減させる明るさ調整ボタン３５ｂ，３５ｃが配置されている。さらにはメッシュ照明装置配置枠３０の下部に端末を登録するための新規ボタン３４ａ，変更ボタン３４ｂ，削除ボタン３４ｃ，移動ボタン３４ｄが配置されている。
端末登録の変更ボタン３４ｂはユーザがタッチすることにより登録名を変更することができる。例えば１２×Ｄの位置の登録名「３０」の照明装置の名称を他の番号，符号などに変更することができる。
その他のボタンである、グループリストの新規ボタン３３ａ，削除ボタン３３ｂ，診断ボタン３３ｃ，端末登録の新規ボタン３４ａ，削除ボタン３４ｃおよび移動ボタン３４ｄは、図４，図５の流れ図によるタブレット端末，照明装置の動作説明で用いたように機能する。
【００４１】
図７はタブレット端末，照明装置が送信するデータのフォーマットの一例を説明するための図である。
（ａ）は明るさの指示をするデータ構造の一例を示すもので、データ部５０ａ、５０ｂと改行部５１より構成されている。例えば、明るさを調光率７０％、調色５０％としたとき、それぞれ１０倍して７００、５００を送信する。より細かい明るさを設定するためである。また、改行部５１はデータの有効性を示すため明るさのデータの後に付加される。
（ｂ）は自己診断命令のデータ構造で、指示部５２と改行部５３より構成されている。自己診断の命令を「１」として送る。また、改行部５３は明るさのデータ構造と同様、データの有効性を示すため自己診断命令の後に付加される。
【００４２】
（ｃ）は故障情報のデータ構造で、データ部５４と改行部５５より構成されている。自己診断結果の故障情報をデータ部５４で送る。また、改行部５５は明るさのデータ構造と同様、データの有効性を示すため故障情報の後に付加される。
（ｄ）は各故障部位に対する故障を示すデータの関係を示す図である。
故障部位Ａ，Ｂ，Ｃ，Ｄ・・・は例えばそれぞれＬＥＤの温度，電源電圧，受信部，ＰＷＭ発生部・・・とすると、故障情報のデータ「１」が意味するのは故障部位はＬＥＤの温度である。同様にデータ「２」「４」「８」「１６」が意味するのは故障部位がそれぞれ電源電圧，受信部，ＰＷＭ発生部，・・・である。例えば「３」のデータの場合、故障部位は、ＬＥＤの温度と電源電圧である。
【００４３】
図８は本発明によるリモート調光制御照明システムの自己診断を行う流れを説明するための図である。
自己診断は照明装置電源投入時，タブレット端末から指示があった時，常に監視する状態の３つのタイミングがある。
照明装置の制御部１３はいずれのタイミングでも自己診断を行うことができ、自己診断の指示があるか否かを監視している（Ｓ５０）。
例えば、タブレット端末２から自己診断の指示が送られてくると、自己診断を実施し（Ｓ５１）、データ分析を行う（Ｓ５２）。診断内容は、ＬＥＤに接続した温度センサからの温度情報，電源に接続された電圧センサからの電圧値，受信部（無線モジュール１２）の信号およびＰＷＭ発生部の出力をモニタするセンサから出力を、正常状態の場合のデータと比較することにより正常か、異常かを判断する（Ｓ５２）。異常であれば、故障情報をセットし（Ｓ５３）、タブレット端末２にその故障情報を送信する（Ｓ５４）。
【００４４】
本発明は特許請求の範囲内で種々の変形例を施すことが可能である。
実施の形態では、必ず無線モジュールを搭載し無線によりタブレット端末からの調光指示などを受信するように構成した照明装置の例を説明したが、一定のグループが後で変更することのない固定的な配置とする取り付けがなされる場合、１つの照明装置は無線モジュールによって調光指示を受ける主照明装置として構成し、そのグループを構成する他の照明装置は無線モジュールを搭載することなく有線により主照明装置に接続し、タブレット端末から／への通信は主照明装置を介して行う構成にすることも可能である。さらに他の照明装置には無線モジュール，マイコンなどの制御部も搭載することなく、ＰＷＭ発生部以降の構成のみとし、主照明装置に有線で接続する構成も可能である。このような簡易な回路を含んで照明システムを構成することにより照明システムの低価格化を図ることができる。
【産業上の利用可能性】
【００４５】
天井や壁などに多数の照明装置を設置し、調光のコントローラ部で各照明装置の配置，明るさを設定できるリモート調光制御照明システムである。
【符号の説明】
【００４６】
１ａ，１ｂ，１ｃ  照明装置
２  タブレット端末（コントローラ部）
３  無線（Ｂｌｕｅｔｏｏｔｈによる）
１１，２１  アンテナ
１２，２２  無線モジュール（無線部）
１３  制御部（マイコンなど）
１４ａ，１４ｂ，１４ｃ  ＰＷＭ発生部（照明制御波形発生部）
１５ａ，１５ｂ，１５ｃ  増幅部
１６  ＬＥＤ部
１６ａ，１６ｂ，１６ｃ  ＬＥＤ駆動部
１７ａ，・・・，１７ｎ  ＬＥＤ
１８，２５  電源部
１９  ＡＣ電源
２３  メモリ部
２４  制御部（ＣＰＵなど）
２６  バッテリー
２７  充電器
２８  入力部（タッチパネル方式）
２９  表示部（液晶画面）
３０  メッシュ照明装置配置枠
１３２  Ｂｌｕｅｔｏｏｔｈ  ＩＣ
１３４  電源
１３５  電圧レベル変換器
【図１】
2015018636.tif 000003
【図２Ａ】
2015018636.tif 000004
【図２Ｂ】
2015018636.tif 000005
【図３】
2015018636.tif 000006
【図４】
2015018636.tif 000007
【図５】
2015018636.tif 000008
【図６】
2015018636.tif 000009
【図７】
2015018636.tif 000010
【図８】
2015018636.tif 000011
【図９】
2015018636.tif 000012
【図１０】
2015018636.tif 000013
【図１１】
2015018636.tif 000014
【図１２】
2015018636.tif 000015